(57)【要約】      （修正有）【課題】ダイナミックレンジの拡張及び好ましい階調表現を実現するための合成に適した複数の画像を生成するのに最適な撮影条件を決定する。【解決手段】露出量算出装置は、被写界を測光する測光部と、測光部による測光値の最小値から最大値までの幅を、複数回の撮影によりカバーする撮影条件を決定する決定部とを備える。なお、決定部は、絞りを固定して撮影条件を決定しても良い。また、撮像装置は、上述した露出量算出装置と、撮像素子を備え、撮影条件にしたがって被写体像を複数回撮影して複数の画像を生成する撮像部と、複数の画像を記録する記録部とを備える。なお、決定部は、測光値の最小値から最大値までの幅と撮像素子のダイナミックレンジとに基づいて、撮影回数を決定しても良い。【選択図】図１
2009027622.tif 000002
【特許請求の範囲】
【請求項１】
被写界を測光する測光部と、
前記測光部による測光値の最小値から最大値までの幅を、複数回の撮影によりカバーする撮影条件を決定する決定部と
を備えたことを特徴とする露出量算出装置。
【請求項２】
請求項１に記載の露出量算出装置において、
前記決定部は、絞りを固定して前記撮影条件を決定する
ことを特徴とする露出量算出装置。
【請求項３】
請求項１または請求項２に記載の露出量算出装置と、
撮像素子を備え、前記撮影条件にしたがって被写体像を複数回撮影して複数の画像を生成する撮像部と、
前記複数の画像を記録する記録部と
を備えたことを特徴とする撮像装置。
【請求項４】
請求項３に記載の撮像装置において、
前記決定部は、前記測光値の最小値から最大値までの幅と前記撮像素子のダイナミックレンジとに基づいて、撮影回数を決定する
ことを特徴とする撮像装置。
【請求項５】
被写界を測光する測光部の出力に応じて露出量を算出するための露出量算出プログラムであって、
前記測光部の出力を取得する取得ステップと、
取得した測光値の最小値から最大値までの幅を、複数回の撮影によりカバーする撮影条件を決定する決定ステップと
をコンピュータで実現するための露出量算出プログラム。
【発明の詳細な説明】
【技術分野】
【０００１】
本発明は、露出量算出装置、撮像装置および露出量算出プログラムに関する。
【背景技術】
【０００２】
従来、複数の画像を合成することにより、ダイナミックレンジを拡張して広い階調を持った画像を生成する技術が知られている（例えば、特許文献１参照）。特許文献１の発明では、同一の構図で、露光量の異なる２枚の画像を生成し、それらを合成することによりダイナミックレンジを拡張した画像を生成している。
【特許文献１】特開２００２−２１８３２６号公報
【発明の開示】
【発明が解決しようとする課題】
【０００３】
しかし、上述した特許文献１の発明では、２枚の画像では白とびや黒つぶれを解消しきれない場合がある。また、合成により生成される画像が軟調になり、好ましくない。
【０００４】
本発明の露出量算出装置、撮像装置および露出量算出プログラムは、ダイナミックレンジの拡張、および、好ましい階調表現を実現するための合成に適した複数の画像を生成するのに最適な撮影条件を決定することを目的とする。
【課題を解決するための手段】
【０００５】
本発明の露出量算出装置は、被写界を測光する測光部と、前記測光部による測光値の最小値から最大値までの幅を、複数回の撮影によりカバーする撮影条件を決定する決定部とを備える。
【０００６】
なお、好ましくは、前記決定部は、絞りを固定して前記撮影条件を決定しても良い。
【０００７】
本発明の撮像装置は、上述した露出量算出装置と、撮像素子を備え、前記撮影条件にしたがって被写体像を複数回撮影して複数の画像を生成する撮像部と、前記複数の画像を記録する記録部とを備える。
【０００８】
なお、好ましくは、前記決定部は、前記測光値の最小値から最大値までの幅と前記撮像素子のダイナミックレンジとに基づいて、撮影回数を決定しても良い。
【０００９】
本発明の露出量算出プログラムは、被写界を測光する測光部の出力に応じて露出量を算出するための露出量算出プログラムであって、前記測光部の出力を取得する取得ステップと、取得した測光値の最小値から最大値までの幅を、複数回の撮影によりカバーする撮影条件を決定する決定ステップとをコンピュータで実現する。
【発明の効果】
【００１０】
本発明の露出量算出装置、撮像装置および露出量算出プログラムによれば、ダイナミックレンジの拡張、および、好ましい階調表現を実現するための合成に適した複数の画像を生成するのに最適な撮影条件を決定することができる。
【発明を実施するための最良の形態】
【００１１】
以下、図面を用いて本発明の実施形態について説明する。本実施形態では、一眼レフタイプの電子カメラを例に挙げて説明する。
【００１２】
図１は、本実施形態の電子カメラ１の構成を示す図である。図１に示すように、電子カメラ１は、撮影レンズ２、絞り３、クイックリターンミラー４、サブミラー５、拡散スクリーン６、コンデンサレンズ７、ペンタプリズム８、ビームスプリッタ９、接眼レンズ１０、結像レンズ１１、測光センサ１２、シャッタ１３、撮像素子１４、焦点検出部１５の各部を備える。
【００１３】
測光センサ１２は、例えば、図２に示す３０分割の測光センサであり、画面の平均的な輝度および最大輝度、最小輝度などを得ることができる。撮像素子１４は、例えばＣＣＤ（Charge Coupled Device）やＣＭＯＳ（Complementary Metal Oxide Semiconductor）などの半導体デバイスである。焦点検出部１５は、例えば、位相差方式の焦点検出を行い、撮影レンズ２の焦点状態を検出する。また、電子カメラ１は、測光センサ１２により検出される輝度に基づいて、コントラスト方式の焦点検出を行い、撮影レンズ２の焦点状態を検出する。位相差方式の焦点検出とコントラスト方式の焦点検出とのどちらを行うかは、ユーザ操作に応じて設定可能とするのが好ましい。また、位相差方式の焦点検出とコントラスト方式の焦点検出とを組み合わせて撮影レンズ２の焦点状態を検出する構成としても良い。
【００１４】
また、電子カメラ１は、撮像により生成された画像などを表示する液晶モニタなどのモニタ１６、各部を制御する制御部１７をさらに備える。制御部１７は、内部に不図示のメモリを備え、各部を制御するためのプログラムを予め記録する。
【００１５】
非撮影時、すなわち撮影を行わない場合には、クイックリターンミラー４は、図１に示すように、４５°の角度に配置される。そして、撮影レンズ２および絞り３を通過した光束は、クイックリターンミラー４で反射され、拡散スクリーン６、コンデンサレンズ７、ペンタプリズム８、ビームスプリッタ９を介して接眼レンズ１０に導かれる。ユーザは、接眼レンズ１０を介して被写体の像を目視することにより構図確認を行う。一方、ビームスプリッタ９により、上方に分割された光束は、結像レンズ１１を介して測光センサ１２の撮像面上に再結像される。また、クイックリターンミラー４を透過した光束は、サブミラー５を介して焦点検出部１５に導かれる。
【００１６】
一方、撮影時には、クイックリターンミラー４が、破線で示す位置に退避してシャッタ１３が開放し、撮影レンズ２からの光束は撮像素子１４に導かれる。
【００１７】
図３は、本実施形態の電子カメラ１の機能ブロック図である。図３に示すように、電子カメラ１は、撮影レンズ２、絞り３、シャッタ１３、撮像素子１４に加えて不図示のＡ／Ｄ変換部などを含む撮像部２０、不図示のレリーズボタンなどを含む操作部２１、撮像部２０により生成した画像に画像処理を施す画像処理部２２、モニタ１６を含む表示部２３、不図示のメモリカードなどを備え撮像部２０により生成した画像等を記録する記録部２４の各部を備えるとともに、撮影条件記憶部２５を備える。撮影条件記憶部２５は、図３に示すように、メモリ１〜メモリ９の９個の書き換え可能な領域を備える。撮影条件記憶部２５の詳細は後述する。
【００１８】
撮像部２０、測光センサ１２、画像処理部２２、記録部２４、撮影条件記憶部２５の各部は制御部１７と相互に接続される。また、制御部１７は、操作部２１の状態を検知する。さらに、制御部１７の出力は表示部２３にも接続される。
【００１９】
以上説明した構成の電子カメラ１は、「通常撮影モード」と「ハイダイナミックレンジ撮影モード」とを有する。通常撮影モードは、ダイナミックレンジの拡張を行わない通常の撮影モードである。この通常撮影モードにおいて、制御部１７は、測光センサ１２の輝度分布（例えば、平均的な輝度値）を評価して適切な撮影条件を決定し、決定した撮影条件にしたがって撮影を行う。撮影条件は、適切な露光量に応じて決まるシャッタ速度と絞りと感度とを含む。ハイダイナミックレンジ撮影モードは、ダイナミックレンジの拡張を行うための複数の画像を生成する撮影モードである。このハイダイナミックレンジ撮影モードにおける制御部１７の処理について以下に説明する。
【００２０】
なお、通常撮影モードとハイダイナミックレンジ撮影モードとの切り換えは、操作部２１を介したユーザ操作により行われる。例えば、図４に示すメニュー画面をモニタ１６に表示し、ユーザにより「ＯＮ」が選択された場合にはハイダイナミックレンジ撮影モードにより撮影を実行し、ユーザにより「ＯＦＦ」が選択された場合には通常撮影モードにより撮影を実行する。なお、メニュー画面を用いる代わりに、ボタンなどの操作部材を用いても良い。また、ハイダイナミックレンジ撮影モードをＯＮ／ＯＦＦする代わりに、通常撮影モードとハイダイナミックレンジ撮影モードとの何れかを選択可能としても良い。
【００２１】
ユーザは、例えば、通常撮影モードによる撮影で得られた画像に黒つぶれや白とびが存在する場合に、ハイダイナミックレンジ撮影モードに切り換えることで、ダイナミックレンジを拡張した撮影を行うことができる。
【００２２】
以下では、図５Ａに示すように晴天時に逆光で撮影を行う場合を例に挙げて説明する。上述した通常撮影モードで撮影を行った場合、測光センサ１２に基づき制御部１７が決定する撮影条件は、例えば、シャッタ速度＝１／３０，絞り＝Ｆ８，感度＝２００程度である。図５Ｂは、図５Ａに示した被写体に関して測光センサ１２が取得した輝度のヒストグラムを示す。図５Ｂに示すように、輝度の暗部に人物の部分に対応するピークを有し、輝度の明部に背景の部分に対応するピークを有する。また、撮像素子１４のダイナミックレンジをＢＶ＝３．５とすると、図５Ｂから明らかなように、人物の部分は暗くなり、背景の部分（特に、雲の部分）には白とびが発生してしまう。ハイダイナミックレンジ撮影モードはこのような問題を回避するためのモードであり、撮像素子のダイナミックレンジが狭くても、撮影対象の被写体が有する階調を適切に表現できるようにする。
【００２３】
図５は、ハイダイナミックレンジ撮影モードにおける制御部１７の処理を示すフローチャートである。
【００２４】
ステップＳ１において、制御部１７は、操作部２１の不図示のレリーズボタンが半押しされたか否かを判定する。そして、制御部１７は、レリーズボタンが半押しされたと判定するとステップＳ２に進む。
【００２５】
ステップＳ２において、制御部１７は、測光センサ１２による測光を開始する。
【００２６】
ステップＳ３において、制御部１７は、測光センサ１２の出力を取得する。
【００２７】
ステップＳ４において、制御部１７は、ステップＳ３で取得した出力に基づいて、輝度の最大値および最小値を算出する。制御部１７は、測光センサ１２の３０のエリアごとに、輝度の平均値を求める。そして、平均値が最大のエリアと平均値が最小のエリアとを検出する。以下では、平均値の最大値＝１０．０，最小値＝１．５として説明する。
【００２８】
ステップＳ５において、制御部１７は、撮影回数ｎを決定する。制御部１７は、ステップＳ４の算出結果に基づいて、次式を用いて撮影回数ｎを決定する。
【００２９】
撮影回数ｎ＝（平均値の最大値−平均値の最小値）÷（撮像素子１４のダイナミックレンジ×０．９）・・・（式１）
なお、式１において、算出結果の小数点以下は切り上げる。上述したように、平均値の最大値＝１０．０，最小値＝１．５，撮像素子１４のダイナミックレンジ＝３．５の場合には、式１の算出結果は、２．６９８・・・となるので、撮影回数ｎ＝３となる。式１において、撮像素子１４のダイナミックレンジに０．９を乗じているのは、精度が十分でない測光センサ１２の出力に対して、撮影対象の被写体が有する階調を確実にカバーするために、撮像素子１４のダイナミックレンジを１０％少なく見積もるためである。なお、撮影回数ｎが多くなると、被写体が変化するおそれがあり、後の合成時に不具合が生じる。したがって、本実施形態では、撮影回数ｎの最大値＝９としている。撮影条件記憶部２５の記憶領域が９個（メモリ１〜メモリ９）存在するのはそのためである。
【００３０】
ステップＳ６において、制御部１７は、ステップＳ５で決定したｎ回の各撮影時の撮影条件を決定する。図７はおよび図８は撮影条件の決定について説明する図である。
【００３１】
ここでは、ステップＳ５において撮影回数ｎ＝３と決定された場合を例に挙げて説明する。３回の撮影のうち、ＢＶ値が最も大きい場合の撮影を１回目に行い、次にＢＶ値の大きい場合の撮影を２回目に行い、ＢＶ値が最も小さい場合の撮影を３回目に行うとする。
【００３２】
制御部１７は、まず、１回目の撮影時のＢＶ値を算出する。撮像素子１４のダイナミックレンジ＝３．５に０．９を乗じた３．２を撮像素子１４のダイナミックレンジとし、輝度の最も高い部分を、測光センサ１２の出力に基づく平均値の最大値＝１０．０に合わせる。その結果、１回目の撮影時のＢＶ値は１０．０−（３．２÷２）＝８．４となる。同様に、制御部１７は、３回目の撮影時のＢＶ値を算出する。撮像素子１４のダイナミックレンジ＝３．５に０．９を乗じた３．２を撮像素子１４のダイナミックレンジとし、輝度の最も低い部分を、測光センサ１２の出力に基づく平均値の最小値＝１．５に合わせる。その結果、３回目の撮影時のＢＶ値は１．５＋（３．２÷２）＝３．１となる。最後に、制御部１７は、２回目の撮影時のＢＶ値を算出する。２回目の撮影時のＢＶ値は、１回目の撮影時のＢＶ値（８．４）と３回目の撮影時のＢＶ値（３．１）の中間の値とし、（８．４＋３．１）÷２＝５．７５となる。ここでは、撮影回数ｎが奇数であるため、真ん中の撮影時（２回目の撮影時）のＢＶ値を（平均値の最大値−平均値の最小値）÷２＋（平均値の最小値）で算出することもできる。
【００３３】
以上の計算により、１回目の撮影時および３回目の撮影時のＢＶ値は、２回目の撮影時のＢＶ値を基準として、それぞれ明部側と暗部側とに（５．７５−３．１）＝（８．４−５．７５）＝２．６５ずつ変更した値となる。すなわち、３回の撮影においてＢＶ値の変更量を均等にする。
【００３４】
制御部１７は、２回目の撮影時のＢＶ値＝５．７５を満たすシャッタ速度、絞り、感度の組み合わせを、２回目の撮影時の撮影条件として決定する。例えば、２回目の撮影時の撮影条件をシャッタ速度＝１／５０，絞り＝Ｆ８，感度＝２００とする。
【００３５】
次に、制御部１７は、２回目の撮影時の撮影条件に基づき、１回目の撮影時の撮影条件を決定する。このとき、制御部１７は、複数回の撮影を行う際に、被写界深度が変わってしまうのを防ぐために絞りを固定する。すなわち、１回目の撮影時の絞りを、既に決定した２回目の撮影時の絞り（Ｆ８）と同じにし、ＢＶ値の変更量＝＋２．６５ＢＶを実現するシャッタ速度と感度との組み合わせを決定する。例えば、１回目の撮影時の撮影条件をシャッタ速度＝１／３２０，絞り＝Ｆ８，感度＝２００とする。
【００３６】
最後に、制御部１７は、２回目の撮影時の撮影条件に基づき、３回目の撮影時の撮影条件を決定する。制御部１７は、１回目の撮影時の撮影条件と同様に、絞りを固定し、３回目の撮影時の絞りも、既に決定した２回目の撮影時の絞り（Ｆ８）と同じにする。そして、制御部１７は、ＢＶ値の変更量＝−２．６５ＢＶを実現するシャッタ速度と感度との組み合わせを決定する。例えば、３回目の撮影時の撮影条件をシャッタ速度＝１／８，絞り＝Ｆ８，感度＝２００とする。
【００３７】
図８Ａに制御部１７が決定した３回の撮影時の撮影条件を示す。ここで、３回目の撮影時のシャッタ速度は１／８であり、手振れを生じるおそれがある。そこで、制御部１７は、シャッタ速度が閾値（例えば、１／１５秒）より遅い場合には、感度を変更することにより、シャッタ速度が閾値より速くなるように決定し直す。例えば、図８Ｂに示すように、感度を４００に変更することにより、シャッタ速度を１／１５まで速くする。
【００３８】
なお、上述した例では、各撮影時のＢＶ値に基づいて具体的な撮影条件を決定する際に、２回目の撮影時の撮影条件を最初に決定し、この撮影条件を基準としてその他の撮影条件を決定する例を示したが、以下のように変更しても良い。
【００３９】
まず、ＢＶ値の最も小さい撮影（上述の例では３回目の撮影）時の撮影条件を決定し、この撮影条件を基準としてＢＶ値の小さい順に撮影条件を決定する。このように撮影条件を決定することにより、最もＢＶ値が小さい場合の絞り値に固定することができる。この結果、基準となる撮影条件において絞りを開放気味に設定することができるので、その後のシャッタ速度および感度の決定に余裕を持たせることができる。
【００４０】
ステップＳ７において、制御部１７は、ステップＳ６で決定した撮影条件を撮影条件記憶部２５に記憶する。なお、制御部１７は、１回目の撮影条件を撮影条件記憶部２５のメモリ１に記憶し、２回目の撮影条件を撮影条件記憶部２５のメモリ２に記憶する。同様に、制御部１７は、ｎ回目の撮影条件を撮影条件記憶部２５のメモリｎに記憶する。ちなみに、通常撮影モードによる撮影時には、撮影条件は１つしか算出されず、この撮影条件は撮影条件記憶部２５のメモリ１に記憶される。また、各メモリに前回の撮影条件が記憶されている場合には、ステップＳ６で決定した撮影条件を上書きすることにより書き換える。
【００４１】
ステップＳ８において、制御部１７は、レリーズボタンが全押しされたか否かを判定する。そして、制御部１７は、レリーズボタンが全押しされたと判定するとステップＳ９に進む。なお、レリーズボタンが全押しされる前にレリーズボタンの半押しが解除された場合には、制御部１７は、ステップＳ１に戻る。
【００４２】
ステップＳ９において、制御部１７は、撮影条件記憶部２５から撮影条件を読み出して設定する。制御部１７は、１回目の撮影の際には、撮影条件記憶部２５のメモリ１から撮影条件を読み出す。そして、制御部１７は、撮像部２０に対して、撮影条件に含まれるシャッタ速度、絞り、感度を設定する。
【００４３】
ステップＳ１０において、制御部１７は、ステップＳ９で設定した撮影条件にしたがって撮像部２０を制御し、撮影を行う。制御部１７は、撮影を行うと制御部１７内の不図示のカウンタを１増やしてステップＳ１１に進む。
【００４４】
ステップＳ１１において、制御部１７は、生成した画像を記録部２４に記録する。
【００４５】
ステップＳ１２において、制御部１７は、ｎ回の撮影を終了したか否かを判定する。制御部１７は、制御部１７内の不図示のカウンタ数がｎであるか否かを判定し、ｎ回の撮影を終了したと判定すると一連の処理を終了する。一方、ｎ回の撮影を終了していないと判定すると、制御部１７は、ステップＳ９に戻り、ステップＳ９以降の処理を繰り返す。すなわち、撮影条件記憶部２５のメモリ２から撮影条件を読み出して（ステップＳ９）２回目の撮影を行い（ステップＳ１０）、２回目の撮影により生成した画像を記録部２４に記録する（ステップＳ１１）。さらに、撮影条件記憶部２５のメモリ３から撮影条件を読み出して（ステップＳ９）３回目の撮影を行い（ステップＳ１０）、３回目の撮影により生成した画像を記録部２４に記録する（ステップＳ１１）。
【００４６】
以上説明したように、ハイダイナミックレンジ撮影モードによる撮影時には、レリーズボタンの半押しにより撮影回数ｎと撮影条件とが決定され、レリーズボタンの全押しによりｎ回の撮像が開始される。すなわち、撮影後にはｎ枚の画像が記録部２４に記録されることになる。これらのｎ枚の画像を適宜合成することにより、ダイナミックレンジが拡張され、かつ、好ましい階調表現の画像を生成することができる。なお、合成処理は、電子カメラ１内で行っても良いし、コンピュータなどの外部機器で行っても良い。また、合成時に、各画像を均等に合成しても良いし、重み付けを行った上で合成しても良い。例えば、主要な被写体である人物に関して好ましい階調表現を有する画像の重み付けを大きくしても良い。
【００４７】
また、図６のフローチャートでは、レリーズボタンの全押しによりｎ回の撮像が自動的に行われる例を示したが、レリーズボタンが全押しされるたびに撮影を行う構成としても良い。
【００４８】
以上説明したように、本実施形態によれば、被写界を測光する測光部による測光値の最小値から最大値までの幅を、複数回の撮影によりカバーする撮影条件を決定する。したがって、ダイナミックレンジの拡張、および、好ましい階調表現を実現するための合成に適した複数の画像を生成するのに最適な撮影条件を決定することができる。
【００４９】
また、本実施形態によれば、絞りを固定して上述した撮影条件を決定する。したがって、
複数回の撮影を行う際に、被写界深度が変わってしまうのを防ぐことができる。
【００５０】
また、本実施形態によれば、測光値の最小値から最大値までの幅と撮像素子のダイナミックレンジとに基づいて、撮影回数を決定する。したがって、撮影対象の被写体が有する階調をカバーしつつ、必要以上に多くの回数の撮影を行いメモリを消費してしまうのを防ぐことができる。
【００５１】
なお、本実施形態では、図６のステップＳ５において、測光値の最小値から最大値までの幅と撮像素子のダイナミックレンジとに基づいて撮影回数ｎを決定する例を示したが、本発明はこの例に限定されない。例えば、撮影回数ｎの算出に他のファクターを利用しても良いし、ユーザが撮影回数ｎを指定する構成としても良い。
【００５２】
また、本実施形態では、図６のステップＳ６において撮影条件を決定する際に、シャッタ速度を優先する例を示したが、感度を優先しても良い。
【００５３】
また、図６のステップＳ６において撮影条件を決定する際に、ｎ回の撮影におけるＢＶ値の変更量（図７参照：変更量＝２．６５ＢＶ）を均等にする例を示したが、本発明はこの例に限定されない。例えば、ＡＦエリアの情報や輝度ヒストグラムをはじめとしたシーン解析などにより、主要被写体が存在する階調を推定し、その階調に関して十分な画像情報が取得できるようにＢＶ値の変更量を決定する構成としても良い。
【００５４】
また、図６のステップＳ６において撮影条件を決定する際に、ＢＶ値が最も大きい場合の撮影を１回目に行い、次にＢＶ値の大きい場合の撮影を２回目に行い、ＢＶ値が最も小さい場合の撮影を３回目に行う場合を例に挙げて説明したが、本発明はこの例に限定されない。例えば、ＡＦエリアの情報や輝度ヒストグラムをはじめとしたシーン解析などにより、主要被写体が存在する階調を推定し、その階調に応じて撮影順を決定する構成としても良い。
【００５５】
また、図６のステップＳ５において撮影回数ｎを決定する際およびステップＳ６において撮影条件を決定する際に、精度が十分でない測光センサ１２の出力に対して、撮影対象の被写体が有する階調を確実にカバーするために、撮像素子１４のダイナミックレンジを１０％少なく見積もる（撮像素子１４のダイナミックレンジに０．９を乗じる）例を示したが、本発明はこの例に限定されない。例えば、撮像素子１４のダイナミックレンジを少なく見積もる代わりに、ステップＳ６において、輝度の最も高い部分（または低い部分）を、測光センサ１２の出力に基づく平均値の最大値（または最小値）に合わせる際に、マージンを取って合わせれば良い。例えば、測光センサ１２の出力に基づく平均値の最大値＝１０．０に撮像素子１４のダイナミックレンジ＝３．５の１０％に相当する０．４を加えて、光センサ１２の出力に基づく平均値の最大値＝１０．４とする。また、測光センサ１２の出力に基づく平均値の最小値＝１．５から撮像素子１４のダイナミックレンジ＝３．５の１０％に相当する０．４を引いて、光センサ１２の出力に基づく平均値の最小値＝１．１とする。そして、撮像素子１４のダイナミックレンジの両端をこの値に合わせれば良い。
【００５６】
また、本実施形態では、撮影対象の被写体が有する階調が連続的である場合を例に挙げて説明したが、撮影対象の被写体が有する階調が断続的である場合には、それぞれの階調を適切に表現できれば、複数回の撮影においてＢＶ値の範囲が互いに重なり合う必要はない。
【００５７】
また、本実施形態で説明した通常撮影モードとハイダイナミックレンジ撮影モードとの切り換えに、従来からあるブラケティング撮影モードを追加しても良い。すなわち、一定間隔で露光量を変えながら複数回の撮影を自動的に行うブラケティング撮影モードと、通常撮影モードと、ハイダイナミックレンジ撮影モードとの切り換えを一元化することにより操作性の向上が期待できる。
【００５８】
また、上述した実施形態では、本発明の技術を電子カメラ１において実現する例について説明した。しかしながら、本発明はこれに限定されるものではない。例えば、コンパクトタイプの電子カメラなどにも本発明を同様に適用することができる。測光センサなどの測光部を持たないコンパクトタイプのカメラに関しては、撮像素子出力に基づいて撮影回数や撮影条件を決定すれば良い。
【００５９】
また、コンピュータにより電子カメラを制御する構成にも本発明を同様に適用することができる。この場合、図６のフローチャートで説明した処理の一部または全部をコンピュータで実現する構成とすれば良い。
【図面の簡単な説明】
【００６０】
【図１】本実施形態の電子カメラ１の構成を示す図である。
【図２】測光センサについて説明する図である。
【図３】本実施形態の電子カメラ１の機能ブロック図である。
【図４】ハイダイナミックレンジ撮影モードの設定について説明する図である。
【図５】通常撮影モード時における撮影条件の決定について説明する図である。
【図６】本実施形態の電子カメラ１の撮影時の動作を示すフローチャートである。
【図７】ハイダイナミックレンジ撮影モード時における撮影条件の決定について説明する図である。
【図８】ハイダイナミックレンジ撮影モード時における撮影条件の決定について説明する別の図である。
【符号の説明】
【００６１】
１…電子カメラ，２…撮影レンズ，３…絞り，１２…測光センサ，１３…シャッタ，１４…撮像素子，１７…制御部，２５…撮影条件記憶部
【図１】
2009027622.tif 000003
【図２】
2009027622.tif 000004
【図３】
2009027622.tif 000005
【図４】
2009027622.tif 000006
【図５】
2009027622.tif 000007
【図６】
2009027622.tif 000008
【図７】
2009027622.tif 000009
【図８】
2009027622.tif 000010